(57)【要約】【課題】  読みかけの本や雑誌等の文章や図等がページのどこにあっても全て指標で指し示すことができ、後で続きを読む時に、指標により文章や図等の続きがすぐに分かる指標付きしおりを得るにある。【解決手段】  しおりと、そのしおりの縦方向に自在にスライドし、かつ回転もしくは回動自在に取付けた指標とで指標付きしおりを構成している。【選択図】  図１
2005138566.tif 000002
【特許請求の範囲】
【請求項１】
しおりと、そのしおりの縦方向に自在にスライドし、かつ回転もしくは回動自在に取付けた指標とからなることを特徴とする指標付きしおり。
【請求項２】
しおりと、そのしおりに一端を取付けた変形自在のアームと、そのアームの他端に取付けた指標とからなることを特徴とする指標付きしおり。
【請求項３】
しおりと、そのしおりに回転もしくは回動自在に取付けた指標とからなることを特徴とする指標付きしおり。
【請求項４】
前記しおりに設け、本や雑誌等のページに前記しおりを取り付けることができるホルダーとからなることをことを特徴とする請求項１、２、３記載の指標付きしおり。
【発明の詳細な説明】
【技術分野】
【０００１】  本発明は、読みかけの本や雑誌等の文章や図等を指し示しておき、後で続きを読むときに、今まで読んだ文章や図等の続きがすぐ分かる指標付きしおりに関する。
【背景技術】
【０００２】  従来のしおりは、読みかけのページの間に挟んで本や雑誌等を閉じ、後で続きを読むときにしおりのあるページを開いて読んでいた。また、読みかけの行をポイントすることができる「しおりの中央部に、上下にスライドするポイントを示す矢印を設け、上部には、グリップ止めを、下部には、ルーペを設け、しおりの、片方端には目盛を付けたポイントしおり。」がある（特許文献１参照。）。【０００３】
【特許文献１】特開２００１−０１０２５４号公報
【発明の開示】
【発明が解決しようとする課題】
【０００４】  従来、しおりは、読みかけの本や雑誌等のページを開くには便利であったが、そのページのどの文章や図等まで読んでいたのかまでは分からなかった。
特許文献１のポイントしおりは、上下にスライドするポイントを示す矢印が設けられているが、上下にスライドするだけなので、本の縦長さと同等の長さのしおりが必要であり、それ以上に縦が長い本には対応できず、ポイントできないという欠点があった。また、しおりより縦が短い本に使用した場合は、しおりが本からはみ出すという欠点があった。【０００５】  本発明は以上のような従来の欠点に鑑み、読みかけの本や雑誌等の文章や図等がページのどこにあっても全て指標で指し示すことができ、後で続きを読む時に、指標により文章や図等の続きがすぐに分かる指標付きしおりを提供することを目的としている。【０００６】  本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【課題を解決するための手段】
【０００７】  上記目的を達成するために、請求項１記載の発明は、しおりと、そのしおりの縦方向に自在にスライドし、かつ回転もしくは回動自在に取付けた指標とで指標付きしおりを構成している。【０００８】  請求項２記載の発明は、しおりと、そのしおりに一端を取付けた変形自在のアームと、そのアームの他端に取付けた指標とで指標付きしおりを構成している。【０００９】  請求項３記載の発明は、しおりと、そのしおりに回転もしくは回動自在に取付けた指標とで指標付きしおりを構成している。【００１０】  請求項４記載の発明は、請求項１、２、３に係わる発明であり、前記しおりに設け、本や雑誌等のページに前記しおりを取り付けることができるホルダーとで指標付きしおりを構成している。
【発明の効果】
【００１１】（１）請求項１記載の発明は、しおりと、そのしおりの縦方向に自在にスライドし、かつ回転もしくは回動自在に取付けた指標とで構成されているので、読みかけの本や雑誌等の文章や図等がページのどこにあっても全て指標で指し示すことができ、後で続きを読む時に、指標により文章や図等の続きがすぐに分かる効果が得られる。【００１２】（２）前記（１）によって、読み終わった文章や図等を何度も読むことがなくなるので、時間のロスがなくなる効果が得られる。【００１３】（３）前記（１）によって、構造が簡単で、使い方も簡単なので、誰にでも容易に使用することができる。【００１４】（４）請求項２記載の発明は、しおりと、そのしおりに一端を取付けた変形自在のアー厶と、そのアームの他端に取付けた指標とで構成されているので、前記（１）〜（３）と同様の効果が得られる。【００１５】（５）請求項３記載の発明は、しおりと、そのしおりに回転もしくは回動自在に取付けた指標とで構成されているので、前記（１）〜（３）と同様の効果が得られる。【００１６】（６）請求項４記載の発明は、請求項１、２、３に係わる発明であり、前記しおりに設け、本や雑誌等のページに前記しおりを取り付けることができるホルダーとで構成されているので、前記（１）〜（３）と同様の効果が得られるとともに、読みかけの本や雑誌等のページにホルダーでしおりを取り付けることができるので、読みかけのページを特定できる効果が得られる。【００１７】（７）前記（６）によって、しおりがページにホルダーで固定されるので、読みかけの文章や図等を指標で特定し、指標がズレない効果が得られる。
【発明を実施するための最良の形態】
【００１８】  以下、図面に示す実施の形態により、本発明を詳細に説明する。【００１９】  図１ないし図３に示す本発明の第１の実施形態において、１はしおりで、このしおり１の上部に、前記しおり１をページ１２の上部に取り付けるためのホルダー２が設けてある。【００２０】  前記ホルダー２は、前記しおり１の上部にコの字形の切り欠きを設けた物であり、前記しおり１と前記ホルダー２との間でページ１２の上部を挟んで止めるものであるが、他の形状の切り欠きでもよいし、前記しおり１をページ１２に取り付けることができれば他の方法でもよい。【００２１】  ３は指標基部で、この指標基部３は前記しおり１に巻き付いて縦方向にスライド可能に取り付けてあり、前記しおり１の下端には、前記指標基部３が脱落しないように脱落防止１ａが設けてある。【００２２】  ４は指標で、この指標４は枢支軸５により回動自在に前記指標基部３に取り付けてある。【００２３】  上記構成の指標付きしおり６Ａを使用する場合、読みかけの本や雑誌等のページ１２の上部を、しおり１とホルダー２との間で挟んで、しおり１をページ１２に取り付ける。読みかけの文章や図等の付近に指標基部３を移動し、指標４で読みかけの文章や図等を指し示して本や雑誌等を閉じる。次回に文章や図等の続きを読むときは、しおり１の挟んである本や雑誌等のページ１２を開き、指標４の指し示してある文章や図等から読むことができる。【００２４】  したがって、読みかけの本や雑誌等の文章や図等がページ１２のどこにあっても全て指標４で指し示すことができ、後で続きを読む時に、指標４により文章や図等の続きがすぐに分かる効果が得られる。【００２５】  また、読み終わった文章や図等を何度も読むことがなくなるので、時間のロスがなくなる効果が得られる。【００２６】  また、構造が簡単で、使い方も簡単なので、誰にでも容易に使用することができる。【００２７】  また、読みかけの本や雑誌等のページにホルダーでしおりを取り付けることができるので、読みかけのページを特定できる効果が得られる。【００２８】  また、しおりがページにホルダーで固定されるので、読みかけの文章や図等を指標で特定し、指標がズレない効果が得られる。
【実施例】
【００２９】  次に、図４ないし図２４に示す本発明の異なる実施の形態について説明する。なお、これらの本発明の異なる実施の形態の説明に当たって、前記本発明の第１の実施の形態と同一構成部分には同一符号を付して重複する説明を省略する。【００３０】  図４ないし図６に示す本発明の第２の実施形態において、前記本発明の第１の実施の形態と主に異なる点は、しおり１にレール７、７を設け、そのレール７、７に噛み合って指標基部３ａ、３ａがスライドでき、指標４が枢支軸５により回動自在に前記指標基部３ａ、３ａに取り付けてある点で、このように構成した指標付きしおり６Ｂは、前記本発明の第１の実施の形態と同様な作用効果が得られる。【００３１】  図７ないし図９に示す本発明の第３の実施形態において、前記本発明の第１の実施の形態と主に異なる点は、しおり１に溝８、８を設け、その溝８、８に噛み合って指標基部３ｂ、３ｂがスライドでき、指標４が枢支軸５により回動自在に前記指標基部３ｂ、３ｂに取り付けてある点で、このように構成した指標付きしおり６Ｃは、前記本発明の第１の実施の形態と同様な作用効果が得られる。【００３２】  図１０ないし図１２に示す本発明の第４の実施形態において、前記本発明の第１の実施の形態と主に異なる点は、しおり１にスリット９を設け、そのスリット９によって作られたガイド１０に巻き付いて指標基部３ｃがスライドできるようにし、指標４が枢支軸５により回動自在に前記指標基部３ｃに取り付けてある点で、このように構成した指標付きしおり６Ｄは、前記本発明の第１の実施の形態と同様な作用効果が得られる。【００３３】  図１３ないし図１５に示す本発明の第５の実施形態において、前記本発明の第１の実施の形態と主に異なる点は、しおり１に一端を取付けた変形自在のアーム１１と、そのアーム１１の他端に指標４ａを取付けた点で、このように構成した指標付きしおり６Ｅは、前記本発明の第１の実施の形態と同様な作用効果が得られる。【００３４】  図１６ないし図１８に示す本発明の第６の実施形態において、前記本発明の第１の実施の形態と主に異なる点は、しおり１に指標４ｂを枢支軸５により回転可能に取付けた点で、このように構成した指標付きしおり６Ｆは、前記本発明の第１の実施の形態と同様な作用効果が得られる。【００３５】  図１９ないし図２１に示す本発明の第７の実施形態において、前記本発明の第１の実施の形態と主に異なる点は、しおり１に指標４ｃ、４ｃを枢支軸５により回動自在に取付けた点で、このように構成した指標付きしおり６Ｇは、前記本発明の第１の実施の形態と同様な作用効果が得られる。【００３６】  図２２ないし図２４に示す本発明の第８の実施形態において、前記本発明の第１の実施の形態と主に異なる点は、しおり１に指標基部３ｄを枢支軸５により回転可能に取付けた点と、その指標基部３ｄに指標４ｅを枢支軸５ａにより回転もしくは回動可能に取付けた点で、このように構成した指標付きしおり６Ｈは、前記本発明の第１の実施の形態と同様な作用効果が得られる。
【図面の簡単な説明】
【００３７】
【図１】本発明の、第１の実施の形態の正面図。
【図２】図１のＡ−Ａ線に沿う断面図。
【図３】本発明の、第１の実施の形態の使用状態の斜視図。
【図４】本発明の、第２の実施の形態の正面図。
【図５】図４のＢ−Ｂ線に沿う断面図。
【図６】本発明の、第２の実施の形態の使用状態の斜視図。
【図７】本発明の、第３の実施の形態の正面図。
【図８】図７のＣ−Ｃ線に沿う断面図。
【図９】本発明の、第３の実施の形態の使用状態の斜視図。
【図１０】本発明の、第４の実施の形態の正面図。
【図１１】図１０のＤ−Ｄ線に沿う断面図。
【図１２】本発明の、第４の実施の形態の使用状態の斜視図。
【図１３】本発明の、第５の実施の形態の正面図。
【図１４】図１３のＥ−Ｅ線に沿う断面図。
【図１５】本発明の、第５の実施の形態の使用状態の斜視図。
【図１６】本発明の、第６の実施の形態の正面図。
【図１７】図１６のＦ−Ｆ線に沿う断面図。
【図１８】本発明の、第６の実施の形態の使用状態の斜視図。
【図１９】本発明の、第７の実施の形態の正面図。
【図２０】図１９のＧ−Ｇ線に沿う断面図。
【図２１】本発明の、第７の実施の形態の使用状態の斜視図。
【図２２】本発明の、第８の実施の形態の正面図。
【図２３】図２２のＨ−Ｈ線に沿う断面図。
【図２４】本発明の、第８の実施の形態の使用状態の斜視図。
【符号の説明】
【００３８】１：しおり
１ａ：脱落防止
２：ホルダー
３、３ａ、３ｂ、３ｃ、３ｄ：指標基部
４、４ａ、４ｂ、４ｃ、４ｅ：指標
５、５ａ：枢支軸
６Ａ、６Ｂ、６Ｃ、６Ｄ、６Ｅ、６Ｆ、６Ｇ、６Ｈ：指標付きしおり
７：レール
８：溝
９：スリット
１０：ガイド
１１：アーム
１２：ページ
【図１】
2005138566.tif 000003
【図２】
2005138566.tif 000004
【図３】
2005138566.tif 000005
【図４】
2005138566.tif 000006
【図５】
2005138566.tif 000007
【図６】
2005138566.tif 000008
【図７】
2005138566.tif 000009
【図８】
2005138566.tif 000010
【図９】
2005138566.tif 000011
【図１０】
2005138566.tif 000012
【図１１】
2005138566.tif 000013
【図１２】
2005138566.tif 000014
【図１３】
2005138566.tif 000015
【図１４】
2005138566.tif 000016
【図１５】
2005138566.tif 000017
【図１６】
2005138566.tif 000018
【図１７】
2005138566.tif 000019
【図１８】
2005138566.tif 000020
【図１９】
2005138566.tif 000021
【図２０】
2005138566.tif 000022
【図２１】
2005138566.tif 000023
【図２２】
2005138566.tif 000024
【図２３】
2005138566.tif 000025
【図２４】
2005138566.tif 000026